(57)【特許請求の範囲】
【請求項１】
画像を表示する表示手段と、該表示手段に表示された画像を前方に反射させるハーフミラーと、該ハーフミラーの後方に設けられるとともにハーフミラーの後方の所定の位置にテレビカメラレンズを挿入配置するためのレンズ挿入用孔が形成されたレンズ挿入用孔形成部材とからなるプロンプターにおいて、
前記レンズ挿入用孔形成部材のレンズ挿入用孔の内側で前記ハーフミラーの後方位置に、テレビカメラレンズの挿入位置を規制する規制部材が設けられていることを特徴とするプロンプター。
【発明の詳細な説明】
【０００１】
【発明の属する技術分野】
本発明は、ニュース原稿の画像をニュースキャスターに表示するプロンプターに係り、特にプロンプターのハーフミラーをテレビカメラレンズから保護することができるプロンプターに関する。
【０００２】
【従来の技術】
特開平1-147970号公報等に開示されたプロンプターは、透過型液晶表示板（以下、「液晶パネル」と称す）とハーフミラーとを備え、液晶パネルに表示されたニュース原稿の画像をハーフミラーでニュースキャスターに向けて反射させている。また、液晶パネルとハーフミラーとは、雲台に着脱自在に取り付けられた支持台に固定されており、ハーフミラーの後方にはテレビカメラが配設され、このテレビカメラも支持台に着脱自在に取り付けられている。これにより、ニュースキャスターは、ハーフミラーで反射されているニュース原稿の画像を見ながらテレビカメラに向かってニュース解説を行うことができる。
【０００３】
前記テレビカメラのレンズは、ハーフミラーの後方に配置されたレンズ挿入用孔形成部材のレンズ挿入用孔からハーフミラーの後方の所定の位置に挿入されて位置決めされる。このような位置決め作業が終了した後、テレビカメラが支持台に固定される。
【０００４】
【発明が解決しようとする課題】
しかしながら、前記従来のプロンプターは、テレビカメラレンズの位置決め時において、テレビカメラレンズをレンズ挿入用孔形成部材のレンズ挿入用孔から挿入していくと、不注意等によってテレビカメラレンズの先端がハーフミラーに衝突し、ハーフミラーを破損させる場合があるという欠点があった。
【０００５】
本発明はこのような事情に鑑みてなされたもので、テレビカメラレンズがハーフミラーに衝突するのを防止し、テレビカメラレンズからハーフミラーを保護することができるプロンプターを提供することを目的とする。
【０００６】
【課題を解決するための手段】
本発明は、前記目的を達成するために、画像を表示する表示手段と、該表示手段に表示された画像を前方に反射させるハーフミラーと、該ハーフミラーの後方に設けられるとともにハーフミラーの後方の所定の位置にテレビカメラレンズを配置するためのレンズ挿入用孔が形成されたレンズ挿入用孔形成部材とからなるプロンプターにおいて、前記レンズ挿入用孔形成部材のレンズ挿入用孔の内側で前記ハーフミラーの後方位置に、テレビカメラレンズの挿入位置を規制する規制部材が設けられていることを特徴としている。
【０００７】
本発明によれば、テレビカメラレンズをレンズ挿入用孔形成部材のレンズ挿入用孔からハーフミラーの後方の所定の位置に挿入していくと、その所定の位置に配置された規制部材にテレビカメラレンズの先端部が当接し、それ以降のテレビカメラレンズの挿入が規制される。これにより、本発明は、テレビカメラレンズがハーフミラーに衝突するのを防止することができるので、テレビカメラレンズからハーフミラーを保護することができる。
【０００８】
【発明の実施の形態】
以下添付図面に従って本発明に係るプロンプターの好ましい実施の形態について詳説する。
【０００９】
図１は、本発明の実施の形態に係るプロンプターが取り付けられる支持台１０の正面図である。同図に示す支持台１０は、液晶表示装置（表示手段）１２とハーフミラー１４とで構成されるプロンプターと、図１上二点鎖線で示すＥＮＧカメラ１６とからなるプロンプターシステムを、三脚１８に設置された雲台２０に支持させるための支持部材であり、支持台１０の下面の略中央部に固定されたアタッチメント部材２２を介して雲台２０に着脱自在に取り付けられる。
【００１０】
また、支持台１０は、図２の如く枠状に形成された第１支持台２４と、矩形状に形成された第２支持台２６とからなる２分割構造に構成されている。第１支持台２４には、図１の液晶表示装置１２及びハーフミラー１４が取り付けられ、第２支持台２６には、ＥＮＧカメラ１６が取り付けられる。ＥＮＧカメラ１６は、下部に肩乗せ部２９Ａが形成されたカメラ本体２９とＥＮＧレンズ３０とから構成され、このカメラ本体２９が図２に示すアダプタ部材２８を介して第２支持台２６の所定の位置に取り付けられる。アダプタ部材２８は、第２支持台２６に対して位置調整自在な構造を有しており、この構造を利用して、第２支持台２６に対するカメラ本体２９の位置を調整することにより、ハーフミラー１４に対するＥＮＧレンズ３０の前後左右方向の位置が調整される。
【００１１】
液晶表示装置１２は、図１の如く箱状に形成された装置本体３２を有し、この装置本体３２が第１支持台２４の下部に固定されている。装置本体３２の上面には、図２の如く矩形状の液晶パネル３４が設けられ、液晶パネル３４は、第１支持台２４に形成された矩形状開口部２５を介して、表示面を上方に向けた状態で取り付けられている。
【００１２】
また、液晶表示装置１２の装置本体３２の側面には、図１の如く映像入力端子３６が設けられている。この映像入力端子３６は、ケーブル３８を介してカメラ本体２９の映像出力端子４０に接続されている。放送用原稿は、予めハーフミラー１４の前方に置かれ、ＥＮＧレンズ３０を介してカメラ本体２９で撮像される。これにより、映像出力端子４０から放送用原稿の画像を示す映像信号が液晶表示装置１２に入力され、この映像信号は液晶表示装置１２に内蔵された画像処理装置によって画像メモリーされ、その画像メモリーされた放送用原稿の画像が液晶パネル３４に表示される。液晶パネル３４に表示された原稿画像は、ハーフミラー１４によって図１上左側方に反射される。なお、装置本体３２には映像入力端子３６の他に、パワーソース用コネクタ、編集リモコン用コネクタ、及び電源スイッチ等が設けられている。したがって、液晶表示装置１２は、前記電源スイッチをＯＮにすると、パワーソース用コネクタを介して供給される電源部からの電力によって起動される。そして、液晶パネル３４に原稿画像が表示され、そして、編集リモコン用コネクタを介して出力されるリモコン操作部からのリモコン信号によって遠隔操作される。遠隔操作の内容は、表示画像の切り換えであり、この遠隔操作は、原稿画像を読むニュースキャスターによって行われる。
【００１３】
次に、ハーフミラー１４の取付構造について説明すると、このハーフミラー１４は、図１〜図３に示すように第１支持台２４に立設された一対のポール４２、４２に昇降自在に支持されている。一対のポール４２、４２は、図３の如く第１支持台２４に一体形成された耳部２４Ａ、２４Ａに固定されており、これらのポール４２、４２には、ハーフミラー１４を昇降させるためのスリーブ４４がポール４２に昇降自在に嵌入されている。このスリーブ４４には、図４の如くスリーブ４４の軸方向と平行にすり割り４６が形成され、このすり割り４６の両側に形成された一対の耳部４７、４７には、レバー４８が形成されたねじ棒５０が螺入されている。したがって、レバー４８によってねじ棒５０を締結方向に回動すると、すり割り４６の幅が狭くなるので、スリーブ４４がポール４２に圧接されて固定される。
【００１４】
また、前記スリーブ４４には、スリーブ４４と比較して小径のスリーブ５２が一体形成されている。このスリーブ５２は、スリーブ４４と直交方向に形成されるとともに、略小判状に形成されたブラケット５４の軸５６が回動自在に嵌入される。ブラケット５４は、図１のハーフミラー１４が固定される箱型ケーシング（レンズ挿入用孔形成部材）５８の両側面に取り付けられている。これにより、ハーフミラー１４は、軸５６を中心に回動され、図１の使用位置（傾斜角度４５°）と図５、図６に示す収納位置（傾斜角度０°）との範囲で回動される。また、図４のブラケット５４には、ハーフミラー１４を図１の使用位置に位置決めするためのストッパーピン６０が突設され、このストッパーピン６０が当接されるストッパー板６２がスリーブ５２の側面に突出形成されている。ストッパーピン６０は、ハーフミラー１４が前記収納位置から前記使用位置に向けて回動されていくと、図７の如く軸５６を中心に時計回り方向に移動していく。そして、ハーフミラー１４が４５°回動（傾斜）したところでストッパーピン６０がストッパー板６２に当接し、それ以降の回動が規制される。これによって、ハーフミラー１４が傾斜角度４５°の使用位置に自動的に位置決めされる。
【００１５】
また、スリーブ５２もスリーブ４４と同様に、図４の如くすり割り６４が形成され、このすり割り６４の両側に形成された一対の耳部６５、６５には、レバー６６が形成されたねじ棒６８が螺入されている。したがって、レバー６６によってねじ棒６８を締結方向に回動すると、すり割り６４の幅が狭くなるので、スリーブ５２が軸５６に圧接されて固定される。これにより、ハーフミラー１４が前記使用位置、又は収納位置に固定される。
【００１６】
一方、ポール４２の上部にはストッパーリング７０が嵌入されている。このストッパーリング７０の下部にスリーブ４４の上部が当接されると、スリーブ４４の高さ位置、即ち、ハーフミラー１４の高さ位置が位置決めされる。このストッパーリング７０もスリーブ４４、５２と同様にすり割り７２が形成され、このすり割り７２の両側に形成された一対の耳部７３、７３には、ねじ７４が螺入されている。したがって、ねじ７４を締め込むと、すり割り７２の幅が狭くなるので、ストッパーリング７０がポール４２に圧接されて固定される。これにより、ハーフミラー１４が、ストッパーリング７０で規制される前記使用位置の高さまで上昇される。
【００１７】
ハーフミラー１４の高さ位置は、ＥＮＧカメラ１６を第２支持台２６に取り付けた時のＥＮＧレンズ３０の高さ位置によって設定される。したがって、同一のＥＮＧカメラ１６を使用する場合には、高さ位置は一定になるので、その位置に対応した位置にストッパーリング７０をポール４２に固定しておけば、ハーフミラー１４を収納位置から使用位置に上昇させる時に、高さ位置をその都度調整する必要がなく、自動的に調整される。よって、ハーフミラー１４の高さ位置調整の手間を省くことができる。
【００１８】
図２の如く支持台１０を構成する第１支持台２４及び第２支持台２６は、一対の押え板７６、７６によって連結されている。押え板７６、７６は、図８の如くレバー７８が設けられたねじ８０によって第１支持台２４上に取り付けられている。また、押え板７６には、第１支持台２４との間で第２支持台２６を挟圧保持するための保持片８２が形成されるとともに、第２支持台２６を、第２支持台２６の長手方向に沿ってスライド可能に案内するガイド面８４が形成されている。したがって、第２支持台２６は、ねじ８０を緩めることにより押え板７６と第１支持台２４とによる挟圧保持が解除されるので、前記ガイド面８４に沿って第２支持台２６の長手方向にスライド移動することができる。
【００１９】
また、第２支持台２６の下面には、図２上破線で示すガイド溝８６が第２支持台２６の長手方向に沿って形成されている。このガイド溝８６には、第１支持台２４に突設された一対のガイドピン８８、９０が係合されている。ガイドピン８８は、支持台１０が図１〜図３の使用状態の時にガイド溝８６の図２上左端部８６Ａに当接される。これにより、第１支持台２４に対する第２支持台２６の図２上右方向へのスライドが規制され、支持台１０が使用状態に保持されるとともに、第１支持台２４に対する第２支持台２６の抜けも防止される。
【００２０】
一方、ガイドピン９０は、支持台１０が図５、図６の重畳状態の時にガイド溝８６の図２上右端部８６Ｂに当接される。これにより、第１支持台２４に対する第２支持台２６の図６上左方向へのスライドが規制されるので、第１支持台２４と第２支持台２６とが重ね合わされた重畳状態で保持されるとともに、第１支持台２４に対する第２支持台２６の抜けも防止される。
【００２１】
前記重畳状態において、第２支持台２６の先端部２６Ａは、図５、図６、図９の如く第１支持台２４の前方に所定量突出した位置に位置される。また、第２支持台２６の後端部２６Ｂは、図６の如く第１支持台２４の後方に所定量突出した位置に位置される。図６の如く、第１支持台２４に対する第２支持台２６の突出量は、先端部２６Ａも後端部２６Ｂも略同量に設定されているので、重畳状態では、第１支持台２４と第２支持台２６との重心が略一致し、そして、その重心と液晶表示装置１２の重心、及びハーフミラー１４の重心が略一致する。これにより、第１支持台２４の側面の中央部に設けられた把手１５を握ることにより、支持台１０をバランスよく持ち運ぶことができる。
【００２２】
第２支持台２６の先端部２６Ａには、ミラーサポータ９２、９２が固定され、このミラーサポータ９２、９２に、ハーフミラー１４のケーシング５８の上端部５８Ａが載置される。また、ミラーサポータ９２、９２に隣接して錠９４が前記先端部２６Ａに設けられており、この錠９４は、ケーシング５８の上端部５８Ａに設けられた図示しない爪部に係合され、ケーシング５８の回動を規制する。これにより、ハーフミラー１４が収納位置に保持される。
【００２３】
ところで、図１に示したプロンプターシステムは、液晶表示装置１２とハーフミラー１４の間に形成される原稿画像の光路を、図１上二点鎖線で示す黒色の遮光カバー１００によって包囲し、ハーフミラー１４で反射された原稿画像を鮮明にニュースキャスターに見せるようにしている。また、透過型の液晶パネル３４の特性上、外光が液晶パネル３４に入射すると、表示された原稿画像が見え難くなるので、外光入射を可能な限り阻止するため、図１上二点鎖線で示す遮光フラグ１０２が遮光カバー１００に連続して設けられる。
【００２４】
図１０は、プロンプターシステムの使用時における遮光カバー１００の伸展形態を示しており、図１１は、ハーフミラー１４を折り畳んだ時の遮光カバー１００の折り畳み形態を示している。
【００２５】
これらの図に示す遮光カバー１００は、柔軟性を有するナイロン製のカバー本体１０４、及びカバー本体１０４を補強するための図１２に示す２枚の補強板１０８、１１０から構成される。
【００２６】
カバー本体１０４は、図１０〜図１２の如く上面部１１４、側面部１１６、１１６、及び背面部１１８の全４面部から構成されている。上面部１１４と背面部１１８とは一体に形成されるとともに、側面部１１６は、各々別体に形成されている。図１０の如く、側面部１１６の上部傾斜辺部には、ケーシング５８の側面に固定される複数個の固定具１１２、１１２…が設けられるとともに、側面部１１６の下部には、把手１５を露出するための開口部１１６Ａが形成され、この開口部１１６Ａの下部には、液晶表示装置１２の装置本体３２に着脱される接着用部材１１６Ｂが設けられている。
【００２７】
上面部１１４は、ハーフミラー１４のケーシング５８の外側に被覆されるとともに、図１２の如く上面部１１４の裏側で前半分の部分には、上面部１１４の幅方向全域に亘って金属又はプラスチック製の補強板１０８が取り付けられている。一方、背面部１１８の裏面にも、金属又はプラスチック製の補強板１１０が取り付けられている。
【００２８】
前述した位置に補強板１０８、１１０が取り付けられていると、背面部１１８は、背面部１１８と上面部１１４との境界隅部１１９を山折り線として、そして、補強板１１０の下部縁部１１１を山折り線として折り畳まれる。これにより、遮光カバー１００が図１１の如く折り畳まれる。
【００２９】
この折り畳み状態において、ハーフミラー１４のケーシング５８の上部には、図１２の如く補強板１０８が取り付けられた上面部１１４と、補強板１１０が取り付けられた背面部１１８とが位置する。したがって、ハーフミラー１４は、２枚の補強板１０８、１１０によって保護されることになるので、支持台１０の持ち運び時に、遮光カバー１００が不用意に障害物に衝突しても、その衝撃からハーフミラー１４を保護することができる。また、本実施の形態では、金属又はプラスチックで補強板１０８、１１０を形成したので、紙製の補強板と比較して、ハーフミラー１４の保護力を向上させることができる。
【００３０】
なお、前記背面部１１８には、図１１の如くＥＮＧレンズ挿入用孔１１３が形成されている。また、補強板１１０には、ＥＮＧレンズ挿入用孔１１３に対応する部分に図１２に示す開口部（レンズ挿入用孔）１１５が形成され、ＥＮＧレンズ３０（図１参照）の挿入を許容している。更に、図１１のＥＮＧレンズ挿入用孔１１３には、遮光布１１７が取り付けられており、この遮光布１１７の開口部１２０にＥＮＧレンズ３０の先端部が挿入されると、開口部１２０の周囲部に取り付けられた輪ゴム（不図示）の復元力によって開口部１２０の周囲部がＥＮＧレンズ３０の周囲に密着される。これにより、背面部１１８から液晶パネル３４への外光の浸入が阻止される。
【００３１】
図１３は、ハーフミラー１４のケーシング５８に、ＥＮＧレンズ３０の過挿入を防止するＬ字状のストッパー部材（規制部材）１３２が取り付けられた形態を示す断面図である。このストッパー部材１３２は、図１３、図１４の如くケーシング５８の略中央部に形成されたレンズ挿入用孔５９の内側で、且つＥＮＧレンズ３０の撮影範囲から外れた位置に取り付けられる。
【００３２】
また、ストッパー部材１３２は、ハーフミラー１４の直前位置で、ＥＮＧレンズ３０の規定された挿入位置に対応した位置に設けられている。これにより、ＥＮＧレンズ３０をケーシング５８のレンズ挿入孔５９から挿入すると、ＥＮＧレンズ３０の先端部３１は、ハーフミラー１４に当接する直前でストッパー部材１３２に必ず当接され、その以降の挿入が規制される。したがって、ＥＮＧレンズ３０はハーフミラー１４に衝突しないので、ハーフミラー１４をＥＮＧレンズ３０から保護することができる。なお、ストッパー部材１３２は、図１２に示した補強板１１０の開口部１１５の内側に取り付けてもよい。
【００３３】
また、ＥＮＧレンズ３０は、ハーフミラー１４に対する取付時において、遮光カバー１００の背面部に設けられた遮光布１１７の開口部１２０を介して、補強板１１０のレンズ挿入用孔１１５からケーシング５８のレンズ挿入孔５９に挿入される。即ち、ＥＮＧレンズ３０は、遮光布１１７で略盲状態となった状態で挿入用孔１１５、５９に挿入される。このような盲状態でＥＮＧレンズ３０を挿入用孔１１５、５９に挿入しても、ＥＮＧレンズ３０は、その先端部３１がストッパー部材１３２に当接された位置（ＥＮＧレンズ３０の規定位置）で自動的に位置決めされるので、ＥＮＧレンズ３０の位置決め作業が容易になる。
【００３４】
レンズ先端部３１が当接するストッパー部材１３２の当接面には、弾力性があり衝撃を吸収することができるゴム、スポンジ等の緩衝部材を貼り付けておくことが好ましい。この緩衝部材によって、ＥＮＧレンズ３０やストッパー部材１３２自身を衝撃（ストッパー部材１３２にＥＮＧレンズ３０が当接した時の衝撃）から保護することができる。
【００３５】
また、ストッパー部材１３２による保護力やストッパー部材１３２の強度を向上させるためには、ストッパー部材１３２をできるだけ大きく形成することが好ましい。しかし、ストッパー部材１３２を大きくすると、ＥＮＧレンズ３０の撮影範囲にストッパー部材１３２が入ってストッパー部材１３２が写るという問題が生じる。この問題は、ストッパー部材１３２を透明部材で形成することで解消できる。即ち、ストッパー部材１３２を大きくしたことで、ストッパー部材１３２がＥＮＧレンズ３０の撮影範囲に入ったとしても、ストッパー部材１３２は写らないからである。
【００３６】
【発明の効果】
以上説明したように本発明に係るプロンプターによれば、ケーシングのレンズ挿入用孔の内側でハーフミラーの後方位置に、テレビカメラレンズの挿入位置を規制する規制部材を設けたので、テレビカメラレンズからハーフミラーを保護することができる。
【図面の簡単な説明】
【図１】本実施の形態のプロンプターが取り付けられる支持台の正面図
【図２】図１に示した支持台の平面図
【図３】図１に示した支持台の斜視図
【図４】プロンプターのハーフミラー高さ調整構造の構成を示す要部拡大斜視図
【図５】ハーフミラーが折り畳まれた状態を示す支持台の斜視図
【図６】図５に示した支持台の正面図
【図７】ハーフミラーの傾斜角度調整構造の動作説明図
【図８】図２の８−８線に沿う第２支持台の断面図
【図９】第２支持台が第１支持台に重ね合わされた状態を示す斜視図
【図１０】遮光カバーがプロンプターに取り付けられた状態を示す遮光カバーの伸展図
【図１１】図１０に示した遮光カバーが折り畳まれた状態を示す斜視図
【図１２】図１０に示した遮光カバーの断面図
【図１３】本実施の形態のストッパー部材がハーフミラーのケーシングに取り付けられた図
【図１４】図１３に示したストッパー部材の斜視図
【符号の説明】
１０…プロンプター用支持台、１２…液晶表示装置、１４…ハーフミラー、１６…ＥＮＧカメラ、２４…第１支持台、２６…第２支持台、３０…ＥＮＧレンズ、３４…液晶パネル、４２…ポール、４４、５２…スリーブ、５８…ケーシング、５９…レンズ挿入用孔、１３２…ストッパー部材
【図１】
0004200345.tif 000002
【図２】
0004200345.tif 000003
【図３】
0004200345.tif 000004
【図４】
0004200345.tif 000005
【図５】
0004200345.tif 000006
【図６】
0004200345.tif 000007
【図７】
0004200345.tif 000008
【図８】
0004200345.tif 000009
【図９】
0004200345.tif 000010
【図１０】
0004200345.tif 000011
【図１１】
0004200345.tif 000012
【図１２】
0004200345.tif 000013
【図１３】
0004200345.tif 000014
【図１４】
0004200345.tif 000015